(57)【要約】【課題】本発明は、レーザーポインタの使用時に電源バッテリーの容量不足によってレーザー出力が低下し、レーザー光が視認できなくなり、レーザーポインタが使用できなくなった場合の、利用者の利便性の向上の関するものであり、【解決手段】本発明によれば、交換用バッテリーをレーザーポインタ本体内の電源バッテリーの配置部近傍に内蔵することにより、電源バッテリーの容量が不足した場合に、簡単に電池交換を行うことを可能とするものである。 【選択図】    図１
2014130174.tif 000002
【特許請求の範囲】
【請求項１】
レーザーダイオードと、このレーザーダイオードを制御する制御回路と、電源スイッチと、前記レーザーダイオードを駆動する電源バッテリーと、交換用バッテリーとを有することを特徴とするレーザーポインタ。
【請求項２】
レーザーダイオードの駆動用電源を、電源バッテリーから交換用バッテリーに切り替える切替スイッチを有することを特徴とする請求項１項記載のレーザーポインタ。
【請求項３】
電源スイッチをオン状態にしたとき、電源バッテリーの残容量を表示する表示装置を有することを特徴とする請求項１項、又は２項記載のレーザーポインター。
【発明の詳細な説明】
【技術分野】
【０００１】
本発明は、レーザーポインタに関するものであって、特にレーザーポインタの出力が低下した場合の、バッテリーの交換に関するものである。
【背景技術】
【０００２】
従来からプレゼンテーションを効率よく行うためにレーザーポインタが用いられている。
このレーザーポインタは、プロジェクタを用いて、スクリーンにプレゼンテーション資料を投影しながら、プレゼンテーションする者が、所定の文字或いは画像に注目させるためにその指標したい部位に、高輝度の赤色或いは緑色のレーザー光を照射するものである。
従来、使用中にバッテリー残容量が少なくなりレーザー出力が低下して、レーザー光の輝点が視認できなくなり、その後の使用が困難となる場合があった。
【０００３】
このため、利用者は、プレゼンテーション前に予め新しい電池に交換して使用するなどの対策を取ることも多く、まだ十分に電池の容量が残っているのにも関わらずこのように電池の交換を行うのは、バッテリの無駄となり、また環境負荷の観点からも好ましいものではなかった。
【０００４】
【特許文献１】特開２０００−２７５５７４号
【特許文献２】特開２００９−１８６９４８号
【発明の開示】
【発明が解決しようとする課題】
【０００５】
一方、特許文献１に示されたような、手動発電機付レーザーポインターが知られている。
これは、レーザーポインタの一端に設けられたゼンマイによって発電し、バッテリ或いはコンデンサを充電するものである。
しかしながら、このような発電機を設けると装置が大型化し、また装置の重量が増すため、レーザーポインタの使い勝手が悪くなる。
また、特許文献２に示されるような、電気ニ重層コンデンサを補助電源として用いるレーザーポインターが知られている。
しかしながら、このような補助電源を用いるものは、充電回路が必要となり、装置が大型化してしまう。
【０００６】
本発明はこのような、レーザーポインタの使用中にバッテリーの残容量が不足しても、レーザーポインタを直ぐに使用可能として、安心してプレゼンテーションを行えるようにすることを目的としている。
特に、従来はレーザーポインタの安全規格上、２つのバッテリーを使用しなければならなかったが、規格が改正され１つのバッテリーでの駆動も可能となった後は、電池１本で駆動し、残りの１本を交換用或いは補助用として用いることが可能となり、レーザーポインタ本体の大きさ、重量を変更することなく、使用中のバッテリー残量量が少なくなったときの対応が可能となる。
【課題を解決するための手段】
【０００７】
上記課題を解決するため、本発明は、請求項１に記載するように、レーザーダイオードと、制御回路と、着脱可能な電源バッテリーとを有し、更に交換用のバッテリーを有することを特徴としている。
【０００８】
更に、請求項２に示すように、バッテリー残容量が少なくなった場合に、交換用バッテリーに前記制御回路を接続する切替スイッチを有することを特徴とするものである。
【発明の効果】
【０００９】
本発明によれば、レーザーポインタの使用中にバッテリーの容量が不足してしまった場合であっても、プレゼンテーションに支障をきたすことなく、バッテリーを交換することが可能となり、継続してレーザーポインターの使用を可能とするものである。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例を示す構成図である。
１はレーザーポインタの本体ケースであり、図２に示すような円筒型の外形を有している。
この本体ケース１の先端付近には、赤色、或いは緑色のレーザー光を生成するレーザーダイオード２が配置されている。
３は制御回路であり、レーザーダイオード２の点灯及び出力安定化の制御を行うものである。
４は着脱可能な電源バッテリーであり、この１つの電源バッテリーでレーザーダイオード２が駆動される。
５は電源スイッチであり、このスイッチ５をユーザーが押している間だけ、レーザーダイオード２が駆動され、レーザー光が生成される。
【００１２】
図２に本実施例のレーザーポインタの外形を示す。
キャップ７を外すと、図に示すように電源バッテリー４及び交換用バッテリー６が露出する。
従って、プレゼンテーション時に、電源バッテリー４の容量が不足してレーザー出力が低下し、レーザー照射による輝点が視認できなくなった場合、直ぐに、電源バッテリー４を交換用バッテリー６と交換することができる。
【００１３】
図３に第２の実施例を示す。
この実施例では、電源バッテリー４を交換用バッテリー６に切り替える切替スイッチ８を有している。
従って、プレゼンテーション時に電源バッテリー４の容量が不足してレーザー出力が弱まり、レーザー光の輝点が視認できなくなった場合、この切替スイッチ８によって、レーザーダイオード２を駆動するバッテリを、電源バッテリー４から交換用バッテリー６に切り替えることができる。
【００１４】
この第２の実施例のレーザーポインタの外形を図４に示す。
上述のように、プレゼンテーション時に電源バッテリーの容量が不足してレーザー出力が弱まり、レーザー光の輝点が視認できなくなった場合、この切替スイッチ４をスライド移動することにより、レーザーダイオード２を駆動するバッテリを、電源バッテリー４から交換用バッテリー６に切り替える。
本実施例によれば、プレゼンテーション時に電源バッテリー４の容量が不足してレーザー光の輝点が視認できなくなった場合、キャップを外して電池交換する必要はなく、単に切替スイッチ８の操作のみで新しいバッテリーに交換できるため、プレゼンテーションを中断する必要がなくなる。
【００１５】
尚、図に示すように、電源バッテリー４の残容量を表示する表示装置９を設けてもよい。
この場合は、電源スイッチ５を押したとき、バッテリーの容量を算出し、残容量が所定値以下の場合に、この表示装置９が点滅する。
従って、この表示装置９の点滅のタイミングで、切替スイッチ７を操作することで、レーザーダイオード２を駆動するバッテリを切り替えることとなる。
【００１６】
尚、電源バッテリー４及び交換用バッテリー６は、汎用の単三乾電池であるが、充電可能な単三乾電池も使用可能である。
レーザーポインタ本体形状を、この単三乾電池を２つ並べた大きさにより近い形状とすることで、装置の小型軽量化を図っている。
【００１７】
電源バッテリーの残容量は、例えば、電源バッテリーの電圧を検出することによって行うものであり、予め、レーザー出力の低下に対応した電源バッテリーの電圧を測定しておき、この電圧まで低下した場合、表示装置９を点灯させている。
尚、点灯時間を計測し、積算された点灯時間が所定時間を経過した後に、表示装置９を点灯させてもよい。
【００１８】
本発明は、上述の実施例に限定されるものではなく、例えば、本体は円筒形状以外の形状でもよい。
また、電源バッテリー４及び交換用バッテリーは２本づつでもよい。
更に、表示装置９の機能を電源スイッチ５に持たせてもよい。
例えば、電源スイッチを透明な樹脂で形成し、照明用発光素子をこの下に配置し、電源スイッチ５を押したとき、この電源スイッチを点滅させることで、電池交換の時期を知らせてもよい。
【産業上の利用可能性】
【００１９】
本発明は、レーザーポインタの使用時にバッテリーの残容量の不足によってレーザー光の輝点を視認できなくなった場合の、利用者の利便性の向上に関するものであり、交換用バッテリーをレーザーポインター本体に内蔵することにより、簡単に電池交換を可能とするものである。
【図面の簡単な説明】
【００２０】
【図１】図１は、本発明の第１の実施例の形態に係るレーザーポインタの構成を示す図である。
【図２】図２は、本発明の第１の実施例の形態に係るレーザーポインタの外形を示す図である。
【図３】図３は、本発明の第２の実施例の形態に係るレーザーポインタの構成を示す図である。
【図４】図４は、本発明の第２の実施例にかかる実施例の形態に係るレーザーポインタの外形を示す図である。
【符号の説明】
【００２１】
２：レーザーダイオード
３：制御回路
４：電源バッテリー
５：電源スイッチ
６：交換用バッテリー
８：切替スイッチ
９：表示装置
【図１】
2014130174.tif 000003
【図２】
2014130174.tif 000004
【図３】
2014130174.tif 000005
【図４】
2014130174.tif 000006